(57)【要約】【課題】衣服を傷つけることなく、片手の操作性がよく、見栄えよく、確実に保持する腕章の提供。【解決手段】左右両端の重合連接面部に互いに係合するフックテープとループテープを配備し、係合部材が配備されて環状に連結して腕に巻止め自在であり、その内周面には外面に滑り止めが施されるベルト通しが、左右に所定の間隔を存して配備される腕章本体と、前記ベルト通しに支えられ、腕章本体の内周面に配備される締付け中ベルトとから構成される腕章。【選択図】図２
2010019928.tif 000002
【特許請求の範囲】
【請求項１】
左右両端の重合連接面部に互いに係合する係合部材が配備されて環状に連結して腕に巻止め自在であり、その内周面には外面に滑り止めが施されるベルト通しが、左右に所定の間隔を存して配備される腕章本体と、前記ベルト通しに支えられ、腕章本体の内周面に配備される締付け中ベルトとから構成される腕章。
【請求項２】
前記腕章本体は、樹脂コーティングシートを方形に裁断して構成され、左右両端の重合連接面部には互いに係合するフックテープとループテープが配備され、両者の係合位置により腕章本体の内径が調整自在に、全体が環状に連結できるように構成されてなる請求項１の腕章。
【請求項３】
前記腕章本体の外形縁の全周には、縁テープを二つ折りし、その両折曲げ先端寄りを逢着被覆してなる請求項１又は請求項２の腕章。
【請求項４】
前記フックテープとループテープは、前記腕章本体の外形縁に夫々対応する三辺を縁テープの内側に差入れ、前記縁テープを逢着する糸により前記腕章本体に縫着し、残りの一辺を夫々別の糸により腕章本体に縫着してなる請求項３の腕章。
【請求項５】
前記ベルト通しは、外面に滑り止め部材を施した帯により構成され、上下の両端を糸により支えテープに取付けられ、その支えテープが上下縦向きに前記腕章本体の内周面に左右所定の間隔を存して配備され、ベルト通しに締付け中ベルトを挿通して腕章本体の内周面に配備されてなる請求項１、請求項２、請求項３、請求項４の何れかに記載される腕章。
【請求項６】
前記支えテープは、その上下端を前記縁テープの内側に差入れて縁テープとそれを止める糸により一体に逢着して腕章本体の内周面に取付けて構成される請求項１、請求項２、請求項３、請求項４、請求項５の何れかに記載される腕章。
【請求項７】
前記締付け中ベルトは、弾性材により構成され、且つ中間に調節用具が配備され、内径が調節自在に、環状に連結されてなる請求項１、請求項２、請求項３、請求項４、請求項５、請求項６の何れかに記載される腕章。
【請求項８】
前記締付け中ベルトは、糸ゴムを編み込んで編成される編みゴムベルト材で構成され、その一方端部は裏側に折り返し、かつ、その端部を縫着してループ部を形成すると共にそのループ部を調節環の軸部に連結し、反対の他方端部の表側にはフックテープとループテープを縫着して折り返しループを形成できるよう設け、このループ部の側に連結環を嵌合した後、他方端部側を前記調節環に通過させて前記連結環と前記調節環とにより構成される環状長を所要巾調節自在の調節用具に構成すると共にその他方端を再び前記連結環に前記フックテープとループテープを結合連結して環状の内径を微巾調節自在に構成してなる請求項１、請求項２、請求項３、請求項４、請求項５、請求項６、請求項７の何れかに記載される腕章。
【発明の詳細な説明】
【技術分野】
【０００１】
本発明は、警備、交通整理、案内、イベントその他において、行為者の身分を表示する等のために使用される腕章に関するものである。
【背景技術】
【０００２】
従来、図７に示すように、安全ピンを使用する腕章２１は、シート地で構成される腕章本体２２の両端の結合連接面２２ａ、２２ｂに上下に対応させて連結孔２３ａ、２３ａ及び２３ｂ、２３ｂを設け、この連結孔２３ａ、２３ａ及び２３ｂ、２３ｂに一本の紐２４を通してその両端を結着して腕章本体２２を環状に構成し、腕章本体２２の上縁に取付け片２５より突出して配備される安全ピン２６を図示しないが被服に刺通して着用者の腕部に取付けるものが一般に用いられている。
【０００３】
特許文献１には、両端を雌雄のボタン６、７により止めて環状に構成する腕章本体２の内周面に糸止め８により弾性バンド３を配備するものが提案されている。
【０００４】
特許文献２には、両端の対応面の連結テープ１１、１２を配し環状に構成する腕章本体１の内周面に支持部材３により支えられる装着具２を配備するものが提案されている。
【特許文献１】実開平４−３４７１号公報
【特許文献２】実用新案登録第３１１５６８８号
【発明の開示】
【発明が解決しようとする課題】
【０００５】
図７に示す従来の腕章は、構成が簡単であるので安価に提供できる利点があるが、安全ピンを使用するために衣服を傷つけ、また、その装着及び取外しが片手では困難であった。
【０００６】
特許文献１及び特許文献２では、腕章本体の内周面に、支持部材により支えられる装着具を配備し、該装着具により予め腕部を締付けるようにしているので、片手での操作性はよいが、装着具の締付けが緩るいと滑り落ちる欠点があった。
【０００７】
本発明は、前記従来の腕章の欠点を改善することを目的になされたものである。
【課題を解決するための手段】
【０００８】
本発明は、左右両端の重合連接面部に互いに係合する係合部材が配備されて環状に連結して腕に巻止め自在であり、その内周面には外面に滑り止めが施されるベルト通しが、左右に所定の間隔を存して配備される腕章本体と、前記ベルト通しに支えられ、腕章本体の内周面に配備される締付け中ベルトとから構成される腕章にある。
【０００９】
前記腕章本体は、樹脂コーティングシートを方形に裁断して構成され、左右両端の重合連接面部には互いに係合するフックテープとループテープが配備され、両者の係合位置により腕章本体の内径が調整自在に、全体が環状に連結できるように構成してもよいものである。
【００１０】
前記腕章本体の外形縁の全周には、縁テープを二つ折りし、その両折曲げ先端寄りを逢着被覆してなる構成にしてもよいものである。
【００１１】
前記フックテープとループテープは、前記腕章本体の外形縁に夫々対応する三辺を縁テープの内側に差入れ、前記縁テープを逢着する糸により前記腕章本体に縫着し、残りの一辺を夫々別の糸により腕章本体に縫着してなる構成にしてもよいものである。
【００１２】
前記ベルト通しは、外面に滑り止め部材を施した帯により構成され、上下の両端を糸により支えテープに取付けられ、その支えテープが上下縦向きに前記腕章本体の内周面に左右所定の間隔を存して配備され、ベルト通しに締付け中ベルトを挿通して腕章本体の内周面に配備されてなる構成にしてもよいものである。
【００１３】
前記支えテープは、その上下端を前記縁テープの内側に差入れて縁テープとそれを止める糸により一体に逢着して腕章本体の内周面に取付けてなる構成にしてもよいものである。
【００１４】
前記締付け中ベルトは、弾性材により構成され、且つ中間に調節用具が配備され、内径が調節自在に、環状に連結されてなる構成にしてもよいものである。
【００１５】
前記締付け中ベルトは、糸ゴムを編み込んで編成される編みゴムベルト材で構成され、その一方端部は裏側に折り返し、かつ、その端部を縫着してループ部を形成すると共にそのループ部を調節環の軸部に連結し、反対の他方端部の表側にはフックテープとループテープを縫着して折り返しループを形成できるよう設け、このループ部の側に連結環を嵌合した後、他方端部側を前記調節環に通過させて前記連結環と前記調節環とにより構成される環状長を所要巾調節自在の調節用具に構成すると共にその他方端を再び前記連結環に前記フックテープとループテープを結合連結して環状の内径を微巾調節自在にしてなる構成にしてもよいものである。
【発明の効果】
【００１６】
腕章本体とその腕章本体の内周面に配備した締付け中ベルトにより構成されており、また、前記腕章本体には腕の太さに合わせる調節用フックテープとループテープを取付け、前記締付け中ベルトの一方端に調節用具を取付け、他方端に調節用フックテープとループテープを取付けているから、腕章本体と締付け中ベルトの調節用具と端部の調節による三重調節ができるものである。
【００１７】
また、締付け中ベルトを通して支えるベルト通しの外面には、滑り止材が施されているから、締付け中ベルトの弾力による締付けと相まって着用部から滑り落ちることを防止するものである。
【発明を実施するための最良の形態】
【００１８】
腕章本体は、樹脂コーティングシートを方形に裁断して構成され、左右両端の重合連接面部には互いに係合するフックテープとループテープが配備され、両者の係合位置により腕章本体の内径が調整自在に、全体が環状に連結できるように構成され、ベルト通しは、外面に滑り止め部材を施した帯により構成され、上下の両端を糸により支えテープに取付けられ、その支えテープが上下縦向きに前記腕章本体の内周面に左右所定の間隔を存して配備され、ベルト通しに締付け中ベルトを挿通して腕章本体の内周面に配備され、前記支えテープは、その上下端を前記縁テープの内側に差入れて縁テープとそれを止める糸により一体に逢着して腕章本体の内周面取付けられ、前記締付け中ベルトは、糸ゴムを編み込んで編成される編みゴムベルト材で構成され、その一方端部は裏側に折り返して縫着してループ部を形成すると共にそのループ部を調節環の軸部に連結し、反対の他方端部の表側にはフックテープとループテープを縫着して折り返しループを形成できるよう設け、このループ部の側に連結環を嵌合した後、他方端部側を前記調節環に通過させて前記連結環と前記調節環とにより構成される環状長を所要巾調節自在の調節用具に構成すると共にその他方端を再び前記連結環に前記フックテープとループテープを結合連結して環状の内径を微巾調節自在に構成してなる腕章。
【実施例】
【００１９】
以下、本発明の腕章１について、実施の一例として示す図面により説明すると、樹脂コーティングシートを方形に裁断して構成される腕章本体２は、左右両端部の重合連接面部２ａ、２ｂに互いに係合するフックテープ３ａとループテープ３ｂを配備し、両者の係合位置により腕章本体２の内径を調整自在に、環状に連結できるように構成されている。
【００２０】
前記腕章本体２の外形縁の全周に縁テープ４を二つ折りし被覆し、その両先端寄りを逢着している。
【００２１】
前記フックテープ３ａとループテープ３ｂにおいて、前記腕章本体２の外形縁に夫々対応する三辺を縁テープ４の内側に差入れて縁テープ４により腕章本体２と一体に糸５により縫着し、残りの一辺を夫々糸６、７により腕章本体２と縫着している。
【００２２】
外面に滑り止め部材８ａを施したベルト通し８が糸９により装備される支えテープ１０を上下縦向きに前記腕章本体２の内周面に左右所定の間隔を存して配備し、そのベルト通し８に締付け中ベルト１１を挿通して腕章本体２の内周面に配備されている。
【００２３】
前記支えテープ１０の前記腕章本体２の内周面への取付けは、支えテープ１０の上下端を前記縁テープ４の内側に差入れて縁テープ４と前記糸５により一体に逢着してもよいものである。
【００２４】
前記ベルト通し８は、図示しないが、前記腕章本体２の内周面に、単体で、その上下端を直接に接着又は逢着して取付けてもよく、また、図示しないが、前記腕章本体２を二重のシートから構成し、その裏側シートにより構成される内周面に前記ベルト通し８を、単体で、その上下端を直接に接着又は逢着して取付けてもよいものである。
【００２５】
前記締付け中ベルト１１は、糸ゴムを編み込んで編成される編みゴムベルト材であって、その一方端部１１ａは裏側に折り返して糸１２により縫着してループ部１３を形成すると共にそのループ部１３を調節環１４の軸部１４ａに連結し、反対の他方端部１１ｂの表側にはフックテープ１５とループテープ１６を糸１７により縫着して折り返しループ１８を形成できるよう設け、前記ループ部１３の側に連結環１９を嵌合した後、他方端部１１ｂ側を前記調節環１４に通過させて前記連結環１９と前記調節環１４の環状長を所要巾調節自在の調節用具２０に構成すると共にその他方端を再び前記連結環１９に連結して環状の内径を微巾調節自在に構成してなるものである。
【００２６】
本発明の実施の一例の腕章１は、前述のように構成されるから、締付け中ベルト１１の調節用具２０及びフックテープ１５とループテープ１６で腕の太さに調節して腕章本体２にセットする。そして、腕章本体２を腕に太さを調節して巻き付けるものである。
【産業上の利用可能性】
【００２７】
着用者の衣服を損傷することなく、滑り落ちを防止し確実に装着できる。外面に内側の締付け皺が影響しないため外観が美しく、身分・職分をさわやかに表示し、誘導・指導を適切に行える公共上の効果を奏するものである。
【図面の簡単な説明】
【００２８】
【図１】本発明の腕章の実施の一例を示す全体斜視図である。
【図２】同じく、展開して内面に配される締付け中ベルトの両端の連結状態を示す腕章の展開斜視図である。
【図３】同じく、締付け中ベルトの両端の連結を外した状態を示す腕章の展開斜視図である。
【図４】同じく、図３のＡ−Ａ線に沿う拡大断面図である。
【図５】締付け中ベルト単体の平面図である。
【図６】同じく、締付け中ベルト単体の側面図である。
【図７】安全ピンを使用する従来の腕章を示す展開斜視図である。
【符号の説明】
【００２９】
１  腕章
２  腕章本体
２ａ  重合連接面部
２ｂ  重合連接面部
３ａ  フックテープ
３ｂ  ループテープ
４  縁テープ
５  糸
６  糸
７  糸
８  ベルト通し
８ａ  滑り止め部材
９  糸
１０  支えテープ
１１  締付け中ベルト
１１ａ  一方端部
１１ｂ  他方端部
１２  糸
１３  ループ部
１４  調節環
１４ａ  軸部
１５  フックテープ
１６  ループテープ
１７  糸
１８  折り返しループ
１９  連結環
２０  調節用具
【図１】
2010019928.tif 000003
【図２】
2010019928.tif 000004
【図３】
2010019928.tif 000005
【図４】
2010019928.tif 000006
【図５】
2010019928.tif 000007
【図６】
2010019928.tif 000008
【図７】
2010019928.tif 000009